(57)【要約】【課題】間仕切り壁構造において、気密性や断熱性等の建物性能を損なうことなく、かつ、作業性に優れた間仕切り壁構造及び間仕切り壁の施工方法を提供する。【解決手段】構造体に支持されたスラブに配設されたランナに、複数のスタッド１３がその両端部を支持されて列状に立設され、当該スタッド１３の両面を覆うように石膏ボード１４，１５，１６，１７が固定される間仕切り壁構造１において、ランナ１１の側方には、石膏ボード１４，１５の上端部１４ａ、１５ａが嵌め込み可能な開口部を有する嵌め込み部材としてのボードランナ１８を設ける。石膏ボード１４，１５の上部は、上端部１４ａ，１５ａがボードランナ１８に嵌め込まれることにより、スタッド１３に当接状態で安定して保持される。【選択図】      図１
2006009527.tif 000002
【特許請求の範囲】
【請求項１】
構造体に支持されたスラブに配設された断面コ字形状の軽量形鋼からなるレール状のランナが開口部を室内側に向けて固定され、当該ランナに両端部を支持されて列状に立設される断面コ字形状の軽量形鋼からなる複数のスタッドと、当該スタッドの両面を覆うように固定される石膏ボードとを有する間仕切り壁構造において、
前記ランナの側方には、前記スラブに当接し前記石膏ボードの端部が嵌め込み可能な開口部を有する嵌め込み部材が設けられ、少なくとも一面の前記石膏ボードは、当該嵌め込み部材により前記スタッドに当接するように保持されることを特徴とする間仕切り壁構造。
【請求項２】
前記嵌め込み部材の前記開口部側には、前記石膏ボードの端部を挿通案内するガイド部が形成されていることを特徴とする請求項１に記載の間仕切り壁構造。
【請求項３】
前記嵌め込み部材は、前記ランナの側方のうち、家屋の柱間に水平に架け渡された梁材に近接する側に設けられていることを特徴とする請求項１又は請求項２に記載の間仕切り壁構造。
【請求項４】
前記嵌め込み部材は、前記ランナと一体化した部材として構成されていることを特徴とする請求項１乃至請求項３のいずれか１項に記載の間仕切り壁構造。
【請求項５】
構造体に支持されたスラブに配設された断面コ字形状の軽量形鋼からなるレール状のランナが開口部を室内側に向けて固定され、当該ランナに両端部を支持されて列状に立設される断面コ字形状の軽量形鋼からなる複数のスタッドと、当該スタッドの両面を覆うように固定される石膏ボードとを有する間仕切り壁を施工する方法であって、
前記間仕切り壁は、家屋の柱間に水平に架け渡された梁材に近接した位置に取付けられ、
前記ランナの側方のうち少なくとも前記梁材に近接する側に室内側に向けて開口した開口部を有する嵌め込み部材を、前記スラブに当接するように取付ける嵌め込み部材取付工程と、
前記石膏ボードを前記嵌め込み部材の室内側から前記開口部へ挿入して前記嵌め込み部材内に嵌め込み固定する石膏ボード嵌め込み工程と
を有することを特徴とする間仕切り壁の施工方法。
【発明の詳細な説明】
【技術分野】
【０００１】
本発明は、間仕切り壁構造及び間仕切り壁の施工方法に関する。
【背景技術】
【０００２】
建物の内壁等の間仕切り壁として、従来から種々のものが知られている。一般的に、間仕切り壁は、天井と床面のスラブに設けられたレール状の上下のランナ間に複数のスタッドをその両端を上下のランナで支持させるように立設し、これらのスタッドに間仕切り壁の外装面となる石膏ボードを取付けてビス止め固定することにより構成されている（特許文献１参照）。
【０００３】
しかし、部屋の天井に水平に架け渡される梁材に近接する位置（例えば梁材から６００ｍｍ程度の範囲内）に間仕切り壁を施工する場合、間仕切り壁と梁材との間にできる空間が狭隘となるため、その狭隘な空間内に作業者が入り込んで石膏ボードをスタッドにビス止めする作業は困難である。さらに極端に狭隘な場合はもはや施工不可能である。
【０００４】
そこで、こういった場合には、次のような構造が用いられていた。図６は、従来の間仕切り壁４０を示す縦断面図である。図６に示すように、梁材４１の下面には、Ｃ形軽鋼の受け金具４３を取付け可能な受け部４２が予め溶接により形成されている。そして、この受け部４２に受け金具４３が梁材４１より外方へ延びるようにして取付けられている。この受け金具４３の下面には、レール状の軽量形鋼からなるランナ４４が溶接又はビス止め（図示略）により固定されている。その他、ランナ４４に配設されるスタッド４５及び石膏ボード４６等の取付け構成は上記と同様である。
【特許文献１】特開２００４−８４２２１（請求項１、図２）
【発明の開示】
【発明が解決しようとする課題】
【０００５】
しかしながら、上記構成では、間仕切り壁４０は天井のスラブ４７に直接取付けられるのではなく、スラブ４７から下方へ下がった位置にある梁材４１の下面に取付けられるため、仕上がり時の間仕切り壁４０は梁材４１の下部において屈折することになる。そのため、施工上その屈折した部分（特に、図６に丸く破線で囲まれた部分）に隙間が生じ易く、仕上がった間仕切り壁は気密性や断熱性に欠けるという問題が生じていた。また、こうした問題を回避するために、その屈折した部分をシール部材で充填することも行われているが、作業工程数が増加するため、間仕切り壁の施工作業の効率性が損なわれているというのが実情であった。
【０００６】
本発明は、このような実情に鑑みてなされたものであり、その目的は、間仕切り壁構造において、気密性や断熱性等の建物性能を損なうことなく、かつ、作業性に優れた間仕切り壁構造及び間仕切り壁の施工方法を提供することにある。
【課題を解決するための手段】
【０００７】
請求項１に記載の発明は、構造体に支持されたスラブに配設された断面コ字形状の軽量形鋼からなるレール状のランナが開口部を室内側に向けて固定され、当該ランナに両端部を支持されて列状に立設される断面コ字形状の軽量形鋼からなる複数のスタッドと、当該スタッドの両面を覆うように固定される石膏ボードとを有する間仕切り壁構造において、前記ランナの側方には、前記スラブに当接し前記石膏ボードの端部が嵌め込み可能な開口部を有する嵌め込み部材が設けられ、少なくとも一面の前記石膏ボードは、当該嵌め込み部材により前記スタッドに当接するように保持されることを特徴とする。
【０００８】
請求項２に記載の発明は、請求項１に記載の間仕切り壁構造において、前記嵌め込み部材の前記開口部側には、前記石膏ボードの端部を挿通案内するガイド部が形成されていることを特徴とする。
【０００９】
請求項３に記載の発明は、請求項１又は請求項２に記載の間仕切り壁構造において、前記嵌め込み部材は、前記上部ランナの側方のうち、家屋の柱間に水平に架け渡された梁材に近接する側に設けられていることを特徴とする。
【００１０】
請求項４に記載の発明は、請求項１乃至請求項３のいずれか１項に記載の間仕切り壁構造において前記嵌め込み部材は、前記ランナと一体化した部材として構成されていることを特徴とする。
【００１１】
請求項５に記載の発明は、間仕切り壁の施工方法であって、構造体に支持されたスラブに配設された断面コ字形状の軽量形鋼からなるレール状のランナが開口部を室内側に向けて固定され、当該ランナに両端部を支持されて列状に立設される断面コ字形状の軽量形鋼からなる複数のスタッドと、当該スタッドの両面を覆うように固定される石膏ボードとを有する間仕切り壁を施工する方法であって、前記間仕切り壁は、家屋の柱間に水平に架け渡された梁材に近接した位置に取付けられ、前記ランナの側方のうち少なくとも前記梁材に近接する側に室内側に向けて開口した開口部を有する嵌め込み部材を、前記スラブに当接するように取付ける嵌め込み部材取付工程と、前記石膏ボードを前記嵌め込み部材の室内側から前記開口部へ挿入して前記嵌め込み部材内に嵌め込み固定する石膏ボード嵌め込み工程とを有することを特徴とする。
【発明の効果】
【００１２】
本発明によれば、間仕切り壁構造において、気密性や断熱性等の建物性能を損なうことなく、かつ、作業性に優れた間仕切り壁構造及び間仕切り壁の施工方法とすることができる。
【発明を実施するための最良の形態】
【００１３】
以下、本発明を間仕切り壁の取付構造に具体化した一実施形態を図１〜図３にしたがって説明する。本実施形態では、水平な梁材に近接した位置に、家屋の内壁となる間仕切り壁を施工するものである。
【００１４】
図１は、本実施形態の間仕切り壁構造１を示す縦断面図であって、図２は間仕切り壁２の構成を示す分解斜視図である。
図１に示すように、梁材３（構造体）は、垂直な立片４の上下に水平なフランジ（上部フランジ５、下部フランジ６）を設けた断面Ｉ字形状であって、断面Ｉ字形状の鋼材７に、厚み３５ｍｍ〜６０ｍｍ程度の耐火被覆材としての岩綿８が吹き付けられて構成されている。この梁材３は、家屋の階上部としてのスラブ９に位置し、家屋の柱間（図示略）に水平に架け渡されているものである。なお、本実施形態でいう、「梁材に近接した位置」とは、梁材３の各フランジの側端部から６００ｍｍ程度の範囲内を意味する。最低幅６００ｍｍ程度以上の空間がないと、作業者がその空間内に入り込んで作業をすることが非常に困難となる。
【００１５】
一方、図２に示すように、間仕切り壁２は、上下のランナ（上部ランナ１１、下部ランナ１２）と、その上下のランナ１１，１２間に列状に立設される複数のスタッド１３と、これらのスタッド１３の両面を覆うように固定される各２枚の石膏ボード１４，１５，１６，１７とで構成されている。
【００１６】
より詳しく述べると、上部ランナ１１は家屋の階上部であるスラブ９（図１参照）に取り付けられる一方、下部ランナ１２は家屋の床部であるスラブ（図示略）に取付けられている。そして、本実施形態の各ランナ１１，１２は断面コ字形状の軽量形鋼からなるレール状に形成され、その開口部１１ａ，１２ａを室内側に向けて、上下で対応する位置に配置されている。さらに、スタッド１３は、上下の各ランナ１１，１２と同様に断面略コ字形状の軽量形鋼からなり、各ランナ１１，１２の長手方向に沿って上下のランナ１１，１２間に立設した状態で所定間隔をおいて複数併設されている。そして、下張面材としての下張石膏ボード１４，１６及び上張面材としての上張石膏ボード１５，１７がこれらのスタッド１３の両面を覆うようにそれぞれ固定されている。
【００１７】
また、図１に示すように、一方（梁材に近接する側、図１において左側）の各石膏ボード１４，１５の上端部１４ａ，１５ａは、ボードランナ１８に嵌め込まれてその上部を固定されている。そして、石膏ボード１４，１５の梁材３の下部フランジ６より下部は、タッピングビス１９等より固定されている。他側（図１において右側）の石膏ボード１６，１７は、その全体をスタッド１３に対してタッピングビス１９等より固定されている。なお、本実施形態において、梁材に近接する側の石膏ボード１４，１５の取付構造及び方法は、本発明の要部であるため、施工方法と併せて後に詳述することとする。
【００１８】
図３は、石膏ボード１４，１５の上端部１４ａ，１５ａを嵌め込むための嵌め込み部材としてのボードランナ１８を示す斜視図である。図３に示すように、ボードランナ１８は、下向きに開口した開口部２１を有しており、各ランナ１１，１２と同様に断面略コ字形状の軽量形鋼からなる。さらに、ボードランナ１８の一方（梁材に近接する側、図１・図３において左側）の下端（開口部側）は、上部ランナ１１の長手方向に沿って開口部２１を広くするように上方に折り曲げられており、それにより石膏ボード１４，１５の上端部１４ａ，１５ａを挿通案内するガイド部２２が形成されている。また、ボードランナ１８の底部２３からガイド部２２にかけては、断面コ字形状の嵌め込み部２４が形成され、その幅（嵌め込み部２４の幅、底部２３の幅）Ｗは、下張石膏ボード１４と上張石膏ボード１５の厚みの和と略同じ大きさとなっている。
【００１９】
具体的には、例えば、厚み２１ｍｍの下張石膏ボード１４と厚み９．５ｍｍの上張石膏ボード１５とを取付ける場合は、ボードランナ１８の幅Ｗは各石膏ボード１４，１５の厚みの和＋１ｍｍ程度の約３１．５ｍｍ（２１＋９．５＋１）として実施できる。なお、ボードランナ１８の底部２３からガイド部２２までの深さＤは、石膏ボード１４，１５の厚みが厚くなるほど石膏ボード１４，１５を強固に固定する必要があるため、長く設定することが好ましい。石膏ボード１４，１５の厚みによるが、一般的に深さＤは４０ｍｍ〜６０ｍｍ程度の範囲内で適宜設定される。
【００２０】
よって、各石膏ボード１４，１５を固定する際には、各石膏ボード１４，１５の上端部１４ａ，１５ａがボードランナ１８の底部２３より幅広に形成された開口部２１に対して下方から挿入される。そして、各石膏ボード１４，１５の上端部１４ａ，１５ａがボードランナ１８の底部２３まで嵌め込まれて、深さＤに相当する嵌め込み部２４で固定されるようになっている。
【００２１】
以上の構成による間仕切り壁２は、次のようにして施工される。以下、その概要を説明する。まず、上下のランナ１１，１２を天井及び床面としてのスラブに、各開口部１１ａ，１２ａを室内側へ向けて上下で対応する位置に取付け固定する。そして、ボードランナ１８を上部ランナ１１の一側方（梁材に近接する側、図１において左側）に、スラブ９に当接するように開口部２１を下向きにして取付け固定する。なお、このボードランナ１８の取付工程は、本発明の嵌め込み部材取付工程に相当する。また、上記ランナ１１，１２及びボードランナ１８は、それぞれ溶接もしくはビス止め等（図示略）によってスラブに固定されるものである。その後、上下のランナ１１，１２の間に、複数のスタッド１３を所定間隔で列状に立設する。
【００２２】
次いで、下張石膏ボード（梁材に近接する側、図１において左側）１４を下方からボードランナ１８の開口部２１へ向けて挿入する。ここで、本実施形態では、ボードランナ１８の下端にはガイド部２２が形成されている。そのため、下張石膏ボード１４の上端部１４ａをガイド部２２内の広く取られた開口部２１近傍に接近させれば、ガイド部２２のガイド作用により、下張石膏ボード１４の上端部１４ａを簡単にボードランナ１８の底部２３まで導いてやることができる。そして、挿入した下張石膏ボード１４をスタッド１３に当接させて、梁材３の下部フランジ６より下方を、下張石膏ボード１４の外方からタッピングビス１９により所定箇所を固定する。このとき、タッピングビス１９のねじ頭は、下張石膏ボード１４の表面より軽くへこませる。
【００２３】
次いで、下張石膏ボード１４と同様に、上張石膏ボード１５を下方からボードランナ１８の開口部２１へ向けて挿入する。この時も、ガイド部２２のガイド作用により、上張石膏ボード１５の上端部１５ａを簡単にボードランナ１８の底部２３まで導いてやることができる。そして、ボードランナ１８の幅Ｗは、各石膏ボード１４，１５の厚みの和と略同じ大きさとされているため、各石膏ボード１４，１５がボードランナ１８の嵌め込み部２４にて安定して固定される。なお、上張石膏ボード１５は下張石膏ボード１４との間に塗布された接着剤により下梁石膏ボードに貼着される。さらに、梁材３の下部フランジ６より下方部分は、接着剤に加えてステープル２５により所定箇所を固定する。なお、ボードランナ１８に各石膏ボード１４，１５を嵌め込む工程が、本発明の石膏ボード嵌め込み工程に相当する。
【００２４】
その後、もう一方（図１において右側）の下張石膏ボード１６及び上張石膏ボード１７を取付ける。まず、下張石膏ボードをスタッド１３に当接させて、下張石膏ボード１６の外方からタッピングビス１９により所定箇所を固定する。その後、上記と同様に、接着剤及びステープル２５の併用により上張石膏ボード１７を下張石膏ボードに貼着して固定する。なお、ここでは梁材３の下部フランジ６より上方部分においてもタッピングビス１９及びステープル２５による留め付けがなされることとなる。
【００２５】
以上が、間仕切り壁２の施工工程の概要である。従来、間仕切り壁２の設置位置が梁材３に近い位置となり、梁材３と梁材側の石膏ボード１４，１５との間に十分な空間がとれずに留め付け作業が困難な場合には、石膏ボード１４，１５の上端部１４ａ，１５ａを安定して固定できないため梁材３の下部フランジ６から受け部を延設してその下方から間仕切り壁２を施工していた（図６参照）。しかしながら、本実施形態によれば、各石膏ボード１４，１５の上端部１４ａ，１５ａ近傍はボードランナ１８の嵌め込み部２４内に嵌め込まれて固定される。そのため、各石膏ボード１４，１５の梁材３の下部フランジ６よりも上方部分にタッピングビス１９等の留め付けがなくても、各石膏ボード１４，１５をスタッド１３に当接状態で安定して保持することができる。
【００２６】
さらに、本実施形態では、仕上がった間仕切り壁２が、天井側のスラブ９から直に形成され、かつ、屈折することなく真っ直ぐに形成されている（図１と図６との比較参照）。したがって、スラブ９とも直接連結され、間仕切り壁２内に隙間が生じにくいため、気密性や断熱性に優れた間仕切り壁２とすることができる。
【００２７】
もちろん、下方から挿入するという容易な作業によって石膏ボード１４，１５を取付けることができるため、間仕切り壁２全体としての施工に係る組み付けが容易となることはいうまでもない。
【００２８】
なお、上記実施形態では、本発明の要部であるボードランナ１８の構造及びボードランナ１８への石膏ボード１４，１５の取付け方法に着目してその概要を説明した。簡単のため、実際の仕様におけるその他の詳細な構成については省略したが、本実施形態において、例えば、表裏の石膏ボード間（石膏ボード１４，１６）の中空部に吸音材としてのグラスウールを充填させたり、スタッド１３に亜鉛鉄版を当接させる等の種々の変更・追加を排除するものではない。
【００２９】
また、本実施形態では、間仕切り壁２の施工工程において、梁材３に近接する側（図１における左側）の石膏ボード１４，１５をまず取付けるものとしたが、反対側（図１における右側）の石膏ボード１６，１７を先に取付けるものとしても構わない。
【００３０】
上記実施形態によれば、以下のような効果を得ることができる。
（１）上記実施形態では、開口部２１を有する嵌め込み部材としてボードランナ１８を設けている。よって、ボードランナ１８の開口部２１から石膏ボード１４，１５の上端部１４ａ，１５ａを挿入すれば、石膏ボードの上端部１４ａ，１５ａはボードランナ１８の嵌め込み部２４にて固定されるため、組み付けが非常に容易である。
【００３１】
（２）また、石膏ボード１４，１５の上端部１４ａ，１５ａが嵌め込み部２４にて固定されることにより、石膏ボード１４，１５の上部をタッピングビス１９やステープル２５で固定する必要がない。よって、嵌め込むという容易な作業で間仕切り壁２を施工できるとともに、作業工程数の減少により、作業効率性を向上させることができる。
【００３２】
（３）上記実施形態では、ボードランナ１８は、上部ランナ１１の側方のうち、梁材３に近接する側に設けられている。よって、間仕切り壁２を梁材に近接した位置に施工する場合であって、タッピングビス１９等による固定作業を行う十分な空間が確保できない場合でも、梁材３に近接した位置に間仕切り壁２を容易に施工することができる。
【００３３】
（４）また、従来では、梁材３に近接した位置に間仕切り壁２を施工する場合、間仕切り壁２が屈折することがやむを得なかったが（図６参照）、上記実施形態では、天井側のスラブ９から真っ直ぐの間仕切り壁２を施工することができる。よって、気密性や断熱性に優れた間仕切り壁２とすることができる。
【００３４】
（５）上記実施形態のボードランナ１８の下端には、開口部２１を広くするように上方へ折り曲げられたガイド部２２が形成されている。このため、石膏ボード１４，１５の上端部１４ａ，１５ａを挿入する際に、石膏ボード１４，１５の上端部１４ａ，１５ａを開口部２１近傍に接近させれば、ガイド部２２の作用によって簡単に石膏ボード１４，１５をボードランナ１８に嵌め込むことができる。
【００３５】
なお、上記実施形態は以下のように別の実施形態（別例）に変更してもよい。
・上記実施形態では、ボードランナ１８の嵌め込み部２４は、底部２３から直角に下がるように断面コ字形状に形成したが、図４に示すように、梁材３に近接する側の面を僅かに内側（開口部を狭くする方向）へ曲げて斜状に形成してもよい。この屈曲した面３１は、嵌め込み部２４に嵌め込まれた石膏ボード１４，１５の上端部１４ａ，１５ａを狭圧する狭圧部として作用する。つまり、面３１は常に開口部２１を縮める方向へ付勢されているため、石膏ボード１４，１５の上端部１４ａ，１５ａが嵌め込まれた場合、面３１はその上端部１４ａ，１５ａを嵌め込み部２４内に押し付ける方向へ付勢する。従って、より確実に石膏ボード１４，１５を嵌め込み部２４に固定することができる。
【００３６】
・上記実施形態では、ボードランナ１８は、上部ランナ１１とは別個の部材としたが、図５に示すように、ランナと一体化した部材３２として構成してもよい。この場合、ランナの取付けと同時にボードランナ１８を取付けることができるため、工程数を削減することができる。
【００３７】
・上記実施形態では、上部ランナ１１の側方のうち、梁材３に近接する側にのみボードランナ１８を設けるものとしたが、両側方にボードランナ１８を設けてもよい。この場合、もう一方（図１における右側）の石膏ボード１６，１７の取付けも容易となるとともに、石膏ボード１６，１７の上端部１６ａ，１７ａは嵌め込み部２４による固定とタッピングビス１９等による固定とで２重に固定されることから、より安定性に優れた構造とすることができる。
【００３８】
・上記実施形態では、間仕切り壁２を梁材３に近接する位置に施工するものとして説明したが、梁材３に近接する位置でなくてもよい。
・上記実施形態において、ボードランナ１８のガイド部２２はなくてもよい。
【００３９】
・上記実施形態において、梁材３は鋼材７に岩綿８を吹き付けた鉄骨造タイプのものとしたが、これに限定されるものではない。例えば、鉄筋とコンクリートを組み合わせた鉄筋コンクリート造や、鉄筋コンクリート造にさらに鉄骨を加えた鉄骨鉄筋コンクリート造等、種々のタイプの梁材に対して実施することができる。
【００４０】
・上記実施形態におけるボードランナ１８を、天井作成において天井部材の端部を保持する嵌め込み部材として使用してもよい。この場合、ボードランナ１８を、その開口部２１を室内側に向けて壁材に当接するように設け、側方から天井部材としての天井仕上材を嵌め込み固定するようにして実施することができる。
【００４１】
部屋の外周周りの梁材の下に天井を施工する場合には、通常は、梁材３の下部フランジ６の下面から吊りボルトや所定のチャンネル及びバーを組み付けて天井下地材を構成する。このため、梁材３の下部フランジ６の下面から約１００ｍｍ程度の深さが必要となる。しかし、この構成によれば、天井部材の端部がボードランナ１８に嵌め込まれるため、梁材３の幅がそれほど広くなければ（例えば、３００ｍｍを超えない範囲であれば）、梁材３の下部に位置する天井部材はボードランナ１８の嵌め込み部２４にて保持することができる。よって、通常の天井作成においては、梁材から１００ｍｍ程度の深さが必要であるところ、この構成によればボードランナ１８の厚みＷ分のみの深さで天井を作成することができる。天井部材を側方から嵌め込むという簡単な作業で天井部材の端部を固定できるとともに、天井高を高くできるという効果がある。
【００４２】
次に、上記実施形態及び別例から把握できる技術的思想について、以下に追記する。
（ａ）構造体である板状部材若しくは構造体に支持された板状部材と、当該板状部材に配設された固定部材と、当該固定部材に少なくとも一端が支持される棒状部材と、当該棒状部材の少なくとも一面に接するように固定される板状外装部材とを有する建築物の内装仕切り構造において、
前記固定部材の側方には前記板状部材に当接し、前記板状外装部材の端部が嵌め込み可能な開口部を有する嵌め込み部材が設けられ、前記板状外装部材は、当該嵌め込み部材により前記棒状部材に当接するように少なくとも一端部が保持されることを特徴とする建築物の内装仕切り構造。
【００４３】
（ｂ）構造体に支持された床材に配設された固定部材と、当該固定部材に両端部を支持されて列状に立設される複数の柱部材と、当該柱部材を覆うように固定される板状外装部材とを有する間仕切り壁構造において、
前記床材に当接し、前記板状外装部材の端部が嵌め込み可能な開口部を有する嵌め込み部材が設けられ、前記板状外装部材は、当該嵌め込み部材により前記柱部材に当接するように保持されることを特徴とする間仕切り壁構造。
【００４４】
（ｃ）構造体に支持された壁材に当接し、天井用板状部材の端部が嵌め込み可能な開口部を有する嵌め込み部材が設けられ、前記天井用板状部材は、当該嵌め込み部材により少なくとも一端部が保持されることを特徴とする天井構造。
【００４５】
（ｄ）前記嵌め込み部材は、嵌め込まれた前記石膏ボードを狭圧する狭圧部を有することを特徴とする請求項１乃至請求項４のいずれか１項に記載の間仕切り壁構造。この構成によれば、石膏ボードを嵌め込み部にてより確実に固定することができる。
【図面の簡単な説明】
【００４６】
【図１】本実施形態の間仕切り壁構造を示す縦断面図。
【図２】間仕切り壁の構成を示す分解斜視図。
【図３】ボードランナを示す斜視図。
【図４】別な実施形態におけるボードランナの形状を示す図。
【図５】さらに別な実施形態における、ランナと一体化されたボードランナを示す斜視図。
【図６】従来の間仕切り壁構造を示す縦断面図。
【符号の説明】
【００４７】
１…間仕切り壁構造、２…間仕切り壁、３…梁材（構造体）、５…上部フランジ、６…下部フランジ、７…鋼材、９…スラブ（天井側のスラブ）、１１…上部ランナ、１１ａ…開口部（上部ランナの開口部）、１２…下部ランナ、１２ａ…開口部（下部ランナの開口部）、１３…スタッド、１４，１６…下張石膏ボード（石膏ボード）、１５，１７…上張石膏ボード（石膏ボード）、１８…ボードランナ（嵌め込み部材）、１９…タッピングビス、２１…開口部（ボードランナの開口部）、２２…ガイド部、２３…底部、２４…嵌め込み部、２５…ステープル。
【図１】
2006009527.tif 000003
【図２】
2006009527.tif 000004
【図３】
2006009527.tif 000005
【図４】
2006009527.tif 000006
【図５】
2006009527.tif 000007
【図６】
2006009527.tif 000008